(57)【要約】  【課題】  工数の削減及び故障の防止を図ることのできる光ピックアップ及びその製造方法を提供する。  【解決手段】  対物レンズ５を有する基台６０と、対物レンズ５に対向配置される磁気ヘッド３２を有して基台６０に固定される磁気ヘッドアングル１４とを備えた光ピックアップ３において、対物レンズ５の光軸方向（Ａ−Ｂ）の付勢力により基台６０と磁気ヘッドアングル１４とを一体化する挟持バネ１５を設け、挟持バネ１５により基台６０と磁気ヘッドアングル１４とを弾性挟持した状態で調整ピン５０により磁気ヘッドアングル１４を基台６０に対して相対移動して位置決めした後に、固定ネジ１７により磁気ヘッドアングル１４を基台６０に螺着した。【選択図】      図９
2006059436.tif 000002
【特許請求の範囲】
【請求項１】
対物レンズを有する基台と、前記対物レンズに対向配置される磁気ヘッドを有して固定ネジにより前記基台に固定される磁気ヘッドアングルと、前記対物レンズの光軸方向の付勢力により前記基台と前記磁気ヘッドアングルとを一体化する弾性挟持部材とを備えたことを特徴とする光ピックアップ。
【請求項２】
前記磁気ヘッドアングルは、前記基台に固定される固定部と、前記基台に対向する対向部と、前記固定部の端部と前記対向部の端部とを連結する連結部とを有した断面コ字状に形成され、前記光軸方向に延びて前記基台に設けられた第１突起部に嵌合する第１溝部を前記固定部の開放端に設けたことを特徴とする請求項１に記載の光ピックアップ。
【請求項３】
前記固定部は前記連結部近傍に調整用孔部を有することを特徴とする請求項２に記載の光ピックアップ。
【請求項４】
前記固定部は前記光軸方向に延びる第２突起部を第１溝部と前記調整用孔部との間に有し、前記基台は第２突起部に嵌合する第２溝部を有することを特徴とする請求項３に記載の光ピックアップ。
【請求項５】
前記弾性挟持部材は前記磁気ヘッドアングル及び前記基台の周囲を覆う板バネから成り、前記弾性挟持部材を前記固定ネジにより前記基台に固定したことを特徴とする請求項１〜請求項４のいずれかに記載の光ピックアップ。
【請求項６】
前記弾性挟持部材は前記磁気ヘッドアングル及び前記基台の周囲を覆って側面により前記光軸方向に直交する方向に前記基台を押圧する板バネから成り、前記弾性挟持部材を前記固定ネジにより前記基台に固定するとともに、第１突起部から離れた側の前記固定ネジの締付け方向が該側面により前記弾性挟持部材が付勢される方向に一致することを特徴とする請求項２〜請求項４のいずれかに記載の光ピックアップ。
【請求項７】
前記基台の側面に係合爪を突設し、前記係合爪と係合する係合孔を前記弾性挟持部材に設けたことを特徴とする請求項５または請求項６に記載の光ピックアップ。
【請求項８】
前記弾性挟持部材は一端から延びて外側に折曲される傾斜した案内部を有することを特徴とする請求項７に記載の光ピックアップ。
【請求項９】
前記弾性挟持部材は前記磁気ヘッドアングルを切り起こして形成されるＬ字型の切起し部から成ることを特徴とする請求項１〜請求項４のいずれかに記載の光ピックアップ。
【請求項１０】
請求項１〜請求項９のいずれかに記載の光ピックアップを備え、前記対物レンズと前記磁気ヘッドとの間に記録媒体を配置して情報を記録することを特徴とする光磁気記録装置。
【請求項１１】
対物レンズを有する基台と、前記対物レンズに対向配置される磁気ヘッドを有して前記基台に固定される磁気ヘッドアングルとを備えた光ピックアップの製造方法において、
前記対物レンズの光軸方向の付勢力により前記基台と前記磁気ヘッドアングルとを一体化する弾性挟持部材を設け、前記弾性挟持部材により前記基台と前記磁気ヘッドアングルとを一体化した状態で前記磁気ヘッドアングルを前記基台に対して相対移動して位置決めした後に、固定ネジにより前記磁気ヘッドアングルを前記基台に螺着したことを特徴とする光ピックアップの製造方法。
【請求項１２】
前記弾性挟持部材により前記基台と前記磁気ヘッドアングルとを一体化した状態で、前記磁気ヘッドアングルを前記基台に対してスライド移動及び回動可能に支持する支持手段を設けたことを特徴とする請求項１１に記載の光ピックアップの製造方法。
【請求項１３】
前記磁気ヘッドアングルは前記基台に固定される固定部と、前記基台に対向する対向部と、前記固定部の端部と前記対向部の端部とを連結する連結部とを有した断面コ字状に形成され、前記光軸方向に延びて前記基台に設けられた第１突起部に嵌合する第１溝部を前記固定部の開放端に設け、第１溝部と第１突起部との嵌合により前記磁気ヘッドアングルが回動可能に支持されることを特徴とする請求項１１または請求項１２に記載の光ピックアップの製造方法。
【請求項１４】
前記固定部は前記連結部近傍に調整用孔部を有し、前記調整用孔部に挿通される調整ピンの移動により前記磁気ヘッドアングルを位置調整したことを特徴とする請求項１３に記載の光ピックアップの製造方法。
【請求項１５】
前記固定部は前記光軸方向に延びる第２突起部を第１溝部と前記調整用孔部との間に有するとともに、前記基台は第２突起部に嵌合する第２溝部を有することを特徴とする請求項１４に記載の光ピックアップの製造方法。
【請求項１６】
前記調整ピンの先端をテーパ形状にするとともに、第１、第２溝部と第１、第２突起部とがそれぞれ嵌合することにより規制される前記磁気ヘッドアングルの回動範囲の両端で前記調整用孔部が重なって配置されることを特徴とする請求項１５に記載の光ピックアップの製造方法。
【請求項１７】
第１、第２溝部と第１、第２突起部とがそれぞれ嵌合することにより規制される第１、第２溝部を結ぶ方向の前記磁気ヘッドアングルの移動範囲の両端で前記調整用孔部が重なって配置されることを特徴とする請求項１６に記載の光ピックアップの製造方法。
【請求項１８】
前記弾性挟持部材は前記磁気ヘッドアングル及び前記基台の周囲を覆う板バネから成り、前記弾性挟持部材を前記固定ネジにより前記基台に固定したことを特徴とする請求項１１〜請求項１７のいずれかに記載の光ピックアップの製造方法。
【請求項１９】
前記弾性挟持部材は前記磁気ヘッドアングル及び前記基台の周囲を覆い、側面により前記光軸方向に直交する方向に前記基台を押圧する板バネから成り、前記弾性挟持部材を前記固定ネジにより前記基台に固定するとともに、第１突起部から離れた側の前記固定ネジの締付け方向が該側面により前記弾性挟持部材が付勢される方向に一致することを特徴とする請求項１３〜請求項１７のいずれかに記載の光ピックアップの製造方法。
【請求項２０】
前記基台の側面に係合爪を突設するとともに前記係合爪と係合する係合孔を前記弾性挟持部材に設け、前記弾性挟持部材を前記基台に挿入した際に前記係合爪と前記係合孔との係合により前記基台の一面を前記弾性挟持部材が押圧して前記光軸方向に付勢するとともに、前記基台の他面と前記弾性挟持部材との間に前記磁気ヘッドアングルの厚みよりも狭い隙間を形成し、該隙間に前記磁気ヘッドアングルを挿入したことを特徴とする請求項１８または請求項１９に記載の光ピックアップの製造方法。
【請求項２１】
前記弾性挟持部材は前記磁気ヘッドアングルの挿入方向の端面から延びて外側に折曲される傾斜した案内部を有することを特徴とする請求項２０に記載の光ピックアップの製造方法。
【請求項２２】
前記弾性挟持部材は前記磁気ヘッドアングルを切り起こして形成されるＬ字型の切起し部から成ることを特徴とする請求項１１〜請求項１７のいずれかに記載の光ピックアップの製造方法。
【発明の詳細な説明】
【技術分野】
【０００１】
本発明は、光磁気ディスクに情報を記録する光磁気記録装置に関する。また本発明は、、光磁気記録装置に用いられる光ピックアップ及びその製造方法に関する。
【背景技術】
【０００２】
ＭＤやＭＯ等の光磁気ディスクに記録を行う光磁気記録装置は光磁気ディスクを挟んで対向する対物レンズと磁気ヘッドとを有した光ピックアップを備えている。対物レンズは光源から射出されたレーザー光を集光する。これにより、光磁気ディスク上の記録層がキュリー点まで加熱される。磁気ヘッドは記録する情報に応じて磁界を発生し、キュリー点を超えた記録層に記録を行う。従って、レーザー光の集光位置と記録磁界の中心とは一致させる必要があるため、対物レンズと磁気ヘッドとは所定位置に位置合せされている。
【０００３】
特許文献１には対物レンズと磁気ヘッドの相対位置を調整する従来の磁気ヘッド位置調整方法が開示されている。この磁気ヘッド位置調整方法によると、光ピックアップは対物レンズを有する基台と、磁気ヘッドを有する磁気ヘッドアングルとを備えている。磁気ヘッドアングルは基台に固定される固定部と、光磁気ディスクの周上の接線方向（以下、単に「接線方向」という場合がある。）に延びて固定部に対向した対向部とを有している。
【０００４】
一端に磁気ヘッドが取り付けられる対向部の他端は固定部を折曲した連結部に枢支され、軸方向に付勢されている。連結部に螺合される第１調整ネジにより付勢力に抗して対向部を押圧すると光磁気ディスクの径方向（以下、単に「径方向」という場合がある。）に対向部がスライド移動する。これにより、磁気ヘッドの径方向の位置を調整し、第１調整ネジがロック剤の塗布によりロックされる。
【０００５】
また、固定部は板バネによって基台に押しつけられた状態で取り付けられている。連結部には接線方向に延びる第２調節ネジが螺合して対向部と固定部との間に配された光磁気記録装置のシャーシに当接する。第２調節ネジによりシャーシを押圧することによって磁気ヘッドアングルが接線方向に移動する。これにより、磁気ヘッドの接線方向の位置を調整し、第２調整ネジを抜き取って固定部がロック剤の塗布により基台に固定される。
【０００６】
また、特許文献２には、基台に磁気ヘッドアングルを固定ネジにより緩く仮固定し、調整ネジにより位置調整した後に固定ネジを締結する磁気ヘッド位置調整方法が開示されている。
【特許文献１】特開２００２−８２８１号公報（第４頁−第６頁、第２図）
【特許文献２】特開平９−２３１６３２号公報（第３頁−第５頁、第１図）
【発明の開示】
【発明が解決しようとする課題】
【０００７】
しかしながら、上記特許文献１に開示された磁気ヘッド位置調整方法によると、ロック剤の硬化前に作業者の手指等が接触すると磁気ヘッドアングルの位置がずれる場合がある。特に、磁気ヘッドアングルを径方向に位置調整した後に接線方向の位置調整を行う際に手指等が接触して位置ずれが生じ易い。また、第２調整ネジを抜き取る際に磁気ヘッドアングルと第２調整ネジとが接触して位置ずれが生じ易い。
【０００８】
このため、ロック剤の硬化を待機する必要があり、光ピックアップ及び光磁気記録装置の製造工数が大きくなる問題があった。更に、ロック剤は衝撃に弱いため、硬化後の衝撃によって磁気ヘッドの位置がずれ、光ピックアップ及び光磁気記録装置の故障の原因となる問題もあった。
【０００９】
また、上記特許文献２に開示された磁気ヘッド位置調整方法によると、磁気ヘッドアングルの仮固定時の固定ネジの締付け力が強いと磁気ヘッドアングルが簡単に移動しないため位置調整が困難になる。固定ネジの締付け力が弱いと調整ネジ等による調整量に対して磁気ヘッドアングルが大きく移動するため位置調整が困難になる。従って、光ピックアップ及び光磁気記録装置の製造工数が大きくなる問題がある。
【００１０】
本発明は、工数の削減及び故障の防止を図ることのできる光ピックアップ及びその製造方法を提供することを目的とする。また本発明は、工数の削減及び故障の防止を図ることのできる光磁気記録装置を提供することを目的とする。
【課題を解決するための手段】
【００１１】
上記目的を達成するために本発明の光ピックアップは、対物レンズを有する基台と、前記対物レンズに対向配置される磁気ヘッドを有して固定ネジにより前記基台に固定される磁気ヘッドアングルと、前記対物レンズの光軸方向の付勢力により前記基台と前記磁気ヘッドアングルとを一体化する弾性挟持部材とを備えたことを特徴としている。この構成によると、基台と磁気ヘッドアングルとが弾性挟持部材によって挟持して一体化された状態で磁気ヘッドアングルが摺動移動して位置調整され、固定ネジにより固定される。
【００１２】
また本発明は、上記構成の光ピックアップにおいて、前記磁気ヘッドアングルは前記基台に固定される固定部と、前記基台に対向する対向部と、前記固定部の端部と前記対向部の端部とを連結する連結部とを有した断面コ字状に形成され、前記光軸方向に延びて前記基台に設けられた第１突起部に嵌合する第１溝部を前記固定部の開放端に設けたことを特徴としている。この構成によると、基台に設けた第１突起部に磁気ヘッドアングルに設けた第１溝部が嵌合し、磁気ヘッドアングルは第１突起部を中心に回動するとともに第１溝部の奥行方向にスライド移動して位置調整される。
【００１３】
また本発明は、上記構成の光ピックアップにおいて、前記固定部は前記連結部近傍に調整用孔部を有することを特徴としている。この構成によると、調整用孔部に挿通される調整ピン等を光磁気ディスクの接線方向及び径方向に移動すると、磁気ヘッドアングルが第１突起部を中心に回動するとともに第１溝部の奥行方向にスライド移動して位置調整される。
【００１４】
また本発明は、上記構成の光ピックアップにおいて、前記固定部は前記光軸方向に延びる第２突起部を第１溝部と前記調整用孔部との間に有し、前記基台は第２突起部に嵌合する第２溝部を有することを特徴としている。この構成によると、第１、第２溝部がそれぞれ第１、第２突起部に隙間を有して嵌合し、磁気ヘッドアングルは第１、第２溝部を結ぶ直線に対して該隙間分だけ傾斜して位置調整される。
【００１５】
また本発明は、上記構成の光ピックアップにおいて、前記弾性挟持部材は前記磁気ヘッドアングル及び前記基台の周囲を覆う板バネから成り、前記弾性挟持部材を前記固定ネジにより前記基台に固定したことを特徴としている。この構成によると、弾性挟持部材はコ字型やＣ字型に形成され、開放端が磁気ヘッドアングルまたは基台を押圧して両者を挟持する。磁気ヘッドアングルが位置調整されると磁気ヘッドアングル及び弾性挟持部材は固定ネジにより基台に固定される。
【００１６】
また本発明は、上記構成の光ピックアップにおいて、前記弾性挟持部材は前記磁気ヘッドアングル及び前記基台の周囲を覆い、側面により前記光軸方向に直交する方向に前記基台を押圧する板バネから成り、前記弾性挟持部材を前記固定ネジにより前記基台に固定するとともに、第１突起部から離れた側の前記固定ネジの締付け方向が該側面により前記弾性挟持部材が付勢される方向に一致することを特徴としている。この構成によると、弾性挟持部材は側面により基台を押圧して全体が付勢され、固定ネジの締め付けにより第１突起部から離れた側で付勢力と同じ方向に力を受ける。
【００１７】
また本発明は、上記構成の光ピックアップにおいて、前記基台の側面に係合爪を突設し、前記係合爪と係合する係合孔を前記弾性挟持部材に設けたことを特徴としている。この構成によると、係合爪と係合孔との係合により基台に弾性挟持部材が位置決めして取り付けられた後、磁気ヘッドアングルを基台に取り付けることができる。
【００１８】
また本発明は、上記構成の光ピックアップにおいて、前記弾性挟持部材は一端から延びて外側に折曲される傾斜した案内部を有することを特徴としている。この構成によると、磁気ヘッドアングルは案内部の案内によって基台に取り付けられた弾性挟持部材と基台との間の隙間に挿入される。
【００１９】
また本発明は、上記構成の光ピックアップにおいて、前記弾性挟持部材は前記磁気ヘッドアングルを切り起こして形成されるＬ字型の切起し部から成ることを特徴としている。この構成によると、弾性挟持部材はＬ字型に形成され、切起し部のベース面とＬ字型の開放端との間で磁気ヘッドアングル及び基台が挟持される。
【００２０】
また本発明の光磁気記録装置は、上記各構成の光ピックアップを備え、前記対物レンズと前記磁気ヘッドとの間に記録媒体を配置して情報を記録することを特徴としている。
【００２１】
また本発明は、対物レンズを有する基台と、前記対物レンズに対向配置される磁気ヘッドを有して前記基台に固定される磁気ヘッドアングルとを備えた光ピックアップの製造方法において、
前記対物レンズの光軸方向の付勢力により前記基台と前記磁気ヘッドアングルとを一体化する弾性挟持部材を設け、前記弾性挟持部材により前記基台と前記磁気ヘッドアングルとを弾性挟持した状態で前記磁気ヘッドアングルを前記基台に対して相対移動して位置決めした後に、固定ネジにより前記磁気ヘッドアングルを前記基台に螺着したことを特徴としている。この構成によると、基台と磁気ヘッドアングルとを弾性挟持部材により一体化した状態で磁気ヘッドアングルが位置調整され、固定ネジにより固定される。
【００２２】
また本発明は、上記構成の光ピックアップの製造方法において、前記弾性挟持部材により前記基台と前記磁気ヘッドアングルとを一体化した状態で、前記磁気ヘッドアングルを前記基台に対してスライド移動及び回動可能に支持する支持手段を設けたことを特徴としている。この構成によると、磁気ヘッドアングルは基台に対してスライド移動及び回動して位置調整される。支持手段は基台及び磁気ヘッドアングルの一方に設けた突起部と、他方に設けられるとともに該突起部に嵌合する溝若しくは長孔等により実現することができる。
【００２３】
また本発明は、上記構成の光ピックアップの製造方法において、前記磁気ヘッドアングルは前記基台に固定される固定部と、前記基台に対向する対向部と、前記固定部の端部と前記対向部の端部とを連結する連結部とを有した断面コ字状に形成され、前記光軸方向に延びて前記基台に設けられた第１突起部に嵌合する第１溝部を前記固定部の開放端に設け、第１溝部と第１突起部との嵌合により前記磁気ヘッドアングルが回動可能に支持されることを特徴としている。この構成によると、基台に設けた第１突起部に磁気ヘッドアングルに設けた第１溝部が嵌合し、磁気ヘッドアングルは第１突起部を中心に回動するとともに第１溝部の奥行方向にスライド移動して位置調整される。
【００２４】
また本発明は、上記構成の光ピックアップの製造方法において、前記固定部は前記連結部近傍に調整用孔部を有し、前記調整用孔部に挿通される調整ピンの移動により前記磁気ヘッドアングルを位置調整したことを特徴としている。この構成によると、調整用孔部に挿通される調整ピンを光磁気ディスクの接線方向及び径方向に移動すると、磁気ヘッドアングルが第１突起部を中心に回動するとともに第１溝部の奥行方向にスライド移動して位置調整される。
【００２５】
また本発明は、上記構成の光ピックアップの製造方法において、前記固定部は前記光軸方向に延びる第２突起部を第１溝部と前記調整用孔部との間に有するとともに、前記基台は第２突起部に嵌合する第２溝部を有することを特徴としている。この構成によると、第１、第２溝部がそれぞれ第１、第２突起部に隙間を有して嵌合し、磁気ヘッドアングルは第１、第２溝部を結ぶ直線に対して該隙間分だけ傾斜して位置調整される。
【００２６】
また本発明は、上記構成の光ピックアップの製造方法において、前記調整ピンの先端をテーパ形状にするとともに、第１、第２溝部と第１、第２突起部とがそれぞれ嵌合することにより規制される前記磁気ヘッドアングルの回動範囲の両端で前記調整用孔部が重なって配置されることを特徴としている。この構成によると、第１溝部と第１突起部の隙間及び第２溝部と第２突起部の隙間により第１、第２溝部を結ぶ直線に対して磁気ヘッドアングルは回動により傾斜可能となる。磁気ヘッドアングルが回動範囲の一端に配された時の調整用孔部の位置と、他端に配された時の調整用孔部との位置とが重なる。この重なった部分に調整ピンの先端が配されることにより調整ピンが容易に調整用孔部に挿入される。
【００２７】
また本発明は、上記構成の光ピックアップの製造方法において、第１、第２溝部と第１、第２突起部とがそれぞれ嵌合することにより規制される第１、第２溝部を結ぶ方向の前記磁気ヘッドアングルの移動範囲の両端で前記調整用孔部が重なって配置されることを特徴としている。この構成によると、第１、第２溝部と第１、第２突起部とが嵌合する範囲内で磁気ヘッドアングルはスライド移動可能となる。磁気ヘッドアングルがスライド移動範囲の一端に配された時の調整用孔部の位置と、他端に配された時の調整用孔部との位置とは重なる。この重なった部分に調整ピンの先端が配されることにより調整ピンが容易に調整用孔部に挿入される。
【００２８】
また本発明は、上記構成の光ピックアップの製造方法において、前記弾性挟持部材は前記磁気ヘッドアングル及び前記基台の周囲を覆う板バネから成り、前記弾性挟持部材を前記固定ネジにより前記基台に固定したことを特徴としている。この構成によると、弾性挟持部材はコ字型やＣ字型に形成され、開放端が磁気ヘッドアングルまたは基台を押圧して両者を挟持する。磁気ヘッドアングルが位置調整されると磁気ヘッドアングル及び弾性挟持部材は固定ネジにより基台に固定される。
【００２９】
また本発明は、上記構成の光ピックアップの製造方法において、前記弾性挟持部材は前記磁気ヘッドアングル及び前記基台の周囲を覆い、側面により前記光軸方向に直交する方向に前記基台を押圧する板バネから成り、前記弾性挟持部材を前記固定ネジにより前記基台に固定するとともに、第１突起部から離れた側の前記固定ネジの締付け方向が該側面により前記弾性挟持部材が付勢される方向に一致することを特徴としている。
【００３０】
また本発明は、上記構成の光ピックアップの製造方法において、前記基台の側面に係合爪を突設するとともに前記係合爪と係合する係合孔を前記弾性挟持部材に設け、前記弾性挟持部材を前記基台に挿入した際に前記係合爪と前記係合孔との係合により前記基台の一面を前記弾性挟持部材が押圧して前記光軸方向に付勢するとともに、前記基台の他面と前記弾性挟持部材との間に前記磁気ヘッドアングルの厚みよりも狭い隙間を形成し、該隙間に前記磁気ヘッドアングルを挿入したことを特徴としている。
【００３１】
この構成によると、係合爪と係合孔との係合により基台に弾性挟持部材が位置決めして取り付けられる。この時、基台は対物レンズの光軸方向に付勢され、係合孔の内面に係合爪が押圧されて付勢方向の移動が規制される。これにより、弾性挟持部材により基台が押圧される面に対向する面と弾性挟持部材との間に隙間が形成される。該隙間には磁気ヘッドアングルが隙間に挿入され、弾性挟持部材により基台と磁気ヘッドアングルとが弾性挟持される。この時、対物レンズの光軸方向に押圧された係合爪が係合孔の内面から離れる。
【００３２】
また本発明は、上記構成の光ピックアップの製造方法において、前記弾性挟持部材は前記磁気ヘッドアングルの挿入方向の端面から延びて外側に折曲される傾斜した案内部を有することを特徴としている。この構成によると、磁気ヘッドアングルは、案内部の案内によって基台と弾性挟持部材との間の隙間に挿入される。
【００３３】
また本発明は、上記構成の光ピックアップの製造方法において、前記弾性挟持部材は前記磁気ヘッドアングルを切り起こして形成されるＬ字型の切起し部から成ることを特徴としている。
【発明の効果】
【００３４】
本発明によると、基台と磁気ヘッドアングルとを固定ネジにより固定するとともに対物レンズの光軸方向の付勢力により弾性挟持する弾性挟持部材を設けたので、磁気ヘッドアングルを弾性挟持部材の弾性力により仮固定しながら位置調整した後、固定することができる。従って、磁気ヘッドアングルの位置調整が容易になるとともに従来のようなロック剤の硬化を待機する必要がなく光ピックアップ及び光磁気記録装置の製造工数を削減することができる。また、衝撃が加わっても磁気ヘッドアングルが容易に位置ずれしないため、光ピックアップ及び光磁気記録装置の故障を防止することができる。
【００３５】
また本発明によると、弾性挟持部材により基台と磁気ヘッドアングルとを一体化した状態で、磁気ヘッドアングルを基台に対してスライド移動及び回動可能に支持する支持手段を設けたので、光磁気ディスクの径方向及び接線方向の磁気ヘッドアングルの位置調整を容易に行うことができる。
【００３６】
また本発明によると、基台に設けられた第１突起部に嵌合する第１溝部を固定部の開放端に設けたので、第１溝部と第１突起部の嵌合により磁気ヘッドアングルが回動及びスライド移動可能に支持され、光磁気ディスクの径方向及び接線方向の磁気ヘッドアングルの位置調整を容易に行うことができる。
【００３７】
また本発明によると、固定部は連結部近傍に調整用孔部を有するので、調整用孔部に挿通される調整ピンを移動させることにより磁気ヘッドアングルが回動及びスライド移動して容易に位置調整を行うことができる。
【００３８】
また本発明によると、固定部が第１溝部と調整用孔部との間に第２突起部を有し、基台が第２突起部に嵌合する第２溝部を有するので、磁気ヘッドアングルを弾性挟持部材により挟持した際に概略位置合せすることができ、位置調整が更に容易になる。
【００３９】
また本発明によると、調整ピンの先端をテーパ形状にするとともに磁気ヘッドアングルの回動範囲の両端で調整用孔部が重なって配置されるので、調整ピンを容易に調整用孔部に挿入することができ、位置調整が簡単になる。
【００４０】
また本発明によると、第１、第２溝部を結ぶ方向の磁気ヘッドアングルの移動範囲の両端で調整用孔部が重なって配置されるので、調整ピンを容易に調整用孔部に挿入することができ、位置調整が簡単になる。
【００４１】
また本発明によると、弾性挟持部材は磁気ヘッドアングル及び基台の周囲を覆う板バネから成り、弾性挟持部材を固定ネジにより基台に固定したので、磁気ヘッドアングル及び基台を弾性挟持する弾性挟持部材を簡単に実現できるとともに弾性挟持部材の脱落を防止することができる。
【００４２】
また本発明によると、基台の側面に係合爪を突設するとともに係合爪と係合する係合孔を弾性挟持部材に設けたので、基台に弾性挟持部材を取り付けた後、容易に磁気ヘッドアングルを取り付けることができる。
【００４３】
また本発明によると、弾性挟持部材は磁気ヘッドアングルの挿入方向の端面から延びて折曲により外側に傾斜した案内部を有するので、磁気ヘッドアングルを更に容易に取り付けることができる。
【００４４】
また本発明によると、弾性挟持部材の側面が基台を押圧し、弾性挟持部材が第１突起部から離れた側の固定ネジの締付け方向に一致して付勢されるので、固定ネジの締付ける際の弾性挟持部材の位置ずれを防止することができる。従って、弾性挟持部材に挟持される磁気ヘッドアングルの位置ずれを防止し、再調整を低減して光ピックアップ及び光磁気記録装置の製造工数を削減することができる。
【００４５】
また本発明によると、弾性挟持部材は磁気ヘッドアングルを切り起こして形成されるＬ字型の切起し部から成るので、弾性挟持部材を容易に形成することができるとともに部品点数を削減することができる。
【発明を実施するための最良の形態】
【００４６】
以下に本発明の実施形態を図面を参照して説明する。図１は第１実施形態の光磁気記録装置の要部を示す斜視図である。光磁気記録装置１はＭＤやＭＯ等の光磁気ディスクを駆動する駆動部６１を有している。駆動部６１は金属製のメインシャーシ６２にスピンドルモータ２及び光ピックアップ３が取り付けられている。
【００４７】
スピンドルモータ２は光磁気ディスクＤ（図３参照）を保持してこれを回転駆動する。光ピックアップ３はメインシャーシ６２に形成された開口部４に配される基台６０と、基台６０に取り付けられる磁気ヘッドアングル１４とを有している。基台６０には対物レンズ５が設けられ、磁気ヘッドアングル１４には対物レンズ５に対向する磁気ヘッド３２が設けられる。
【００４８】
対物レンズ５は光源から射出されたレーザー光を集光して光磁気ディスクＤの信号記録層に照射する。磁気ヘッド３２は磁界を発生し、レーザー光によってキュリー点まで加熱された信号記録層に情報を記録する。
【００４９】
図２は駆動部６１の背面斜視図を示している。光ピックアップ３の基台６０の一端にはガイド孔９が設けられる。ガイド孔９にはメインシャーシ６２に回転自在に取り付けられる駆動ネジ８が挿通される。駆動ネジ８は駆動ギヤ６を介して連結されるフィードモータ７の駆動により回転する。基台６０には駆動ネジ８を押圧するクリップバネ１３が取り付けられる。クリップバネ１３の先端には駆動ネジ８に噛合する突起部３７が設けられる。
【００５０】
基台６０の他端には上下に並設される突起部１０（図３参照）が設けられる。突起部１０はメインシャーシ６２に設けられたガイド部１１を挟むように嵌合されている。フィードモータ７を駆動すると駆動ネジ８が回転して突起部３７に送りが与えられる。これにより、光ピックアップ３はガイド部１１の案内により開口部４内を光磁気ディスクＤの径方向に移動するようになっている。
【００５１】
図３は光ピックアップ３を示す側面断面図である。磁気ヘッドアングル１４は断面コ字型に形成され、金属板から成る固定部３１と、固定部３１を折曲して成る連結部２９と、連結部２９により固定部３１に対向して連結される対向部３３とを有している。固定部３１は詳細を後述する挟持バネ１５により基台６０の一端に挟持され、固定ネジ１７により固定されている。対向部３３は一端が連結部２９にスポット溶接される板バネから成り、他端に磁気ヘッド３２が固定されている。
【００５２】
図４は磁気ヘッド３２部分の詳細を示す上面図である。また、図５は図４のＪ−Ｊ断面図を示している。磁気ヘッド３２はセラミック等の非磁性体から成るスライダ５４に磁性体から成るコア５３が接着剤５８により固着されている。コア５３は断面略Ｅ字型に形成され、中央の突出部分に巻線５５を巻設したボビン５６が嵌挿されている。磁気ヘッド３２のディスク対向面３２ａは曲面に形成され、巻線５５に情報信号を供給することにより磁界を発生して光磁気ディスクＤに情報が書き込まれる。
【００５３】
磁気ヘッド３２の発生磁界の中心は対物レンズ５の光軸方向の中心線上に配置されている。磁気ヘッド３２を位置調整するために、コア３２には位置調整用のマーク５９がディスク対向面３２ａと反対側の面に設けられている。
【００５４】
図６、図７はコア３２の製造方法を示す斜視図である。図６に示すように、磁性材料７０にダイシングソー等によって平行な複数の溝７１が加工され、陸部７２が形成される。次に、図７に示すように、磁性材料７０の陸部７２の背面側にダイシングソーやエッチング等によってマーク５９が形成される。そして、一点鎖線で示すように所定位置でスライスして複数のコア５３が得られる。
【００５５】
図８は光ピックアップ３を上方から見た分解斜視図を示しており、図９は下方から見た分解斜視図を示している。基台６０の先端には台座部４４が突設される。台座部４４にはネジ孔１６、１９が形成される。台座部４４の両側面には挟持バネ１５を位置決めする係合爪２０、２１が突設される。係合爪２０とガイド孔９との間には位置決め溝３０が形成されている。台座部４４の背面側にはクリップバネ１３を位置決めする位置決め突起２８が形成される。また、クリップバネ１３及び磁気ヘッドアングル１４を位置決めする位置決めピン２７（第１突起部）が突設されている。台座部４４の先端には溝部２３（第２溝部）が設けられている。
【００５６】
クリップバネ１３は取付孔１８及び位置決め孔２６が設けられ、端部を折曲した位置決め爪４５が形成される。位置決め孔２６を位置決めピン２７に挿通して位置決め爪４５を位置決め溝３０に嵌合すると、クリップバネ１３は光磁気ディスクＤの接線方向（図中、Ｃ−Ｄ方向）及び径方向（図中、Ｅ−Ｆ方向）に位置決めされる。また、クリップバネ１３は位置決め突起２８に当接して対物レンズ５の光軸方向（図中、Ａ−Ｂ方向）に位置決めされる。そして、取付孔１８に挿通される固定ネジ１２をネジ孔１９に螺合することにより、クリップバネ１３が基台６０に取り付けられる。
【００５７】
図１０は挟持バネ１５（弾性挟持部材）の正面図を示している。挟持バネ１５はバネ鋼を折曲して成り、光磁気ディスクＤの接線方向（図８、図９においてＣ−Ｄ方向）に開口部１５ａを有した断面Ｃ字型に形成されている。開口部１５ａには上面側に基台６０の台座部４４が挿入され、背面側に台座部４４と反対方向から磁気ヘッドアングル１４の固定部３１が挿入される。これにより、上面側に形成された板バネ部３８が台座部４４を押圧して台座部４４と固定部３１とが挟持されるようになっている。固定部３１が挿入される側の開口部１５ａには外側に折曲された固定部３１を案内するガイド部４２が形成されている。
【００５８】
また、挟持バネ１５の一方の側面部３５は開口部１５ａの内側に向けて折曲され、台座部４４及び固定部３１が開口部１５ａに挿入されると図中、一点鎖線で示すように変形する。これにより、挟持バネ１５が台座部４４を光磁気ディスクＤの径方向（図８、図９においてＥ−Ｆ方向）の一方（本実施形態ではＦ方向）に押圧し、挟持バネ１５全体が他方（本実施形態ではＥ方向）に付勢されるようになっている。尚、固定部３１の径方向の幅は台座部４４の径方向の幅よりも小さく形成され、側面部３５によって固定部３１が押圧されないようになっている。
【００５９】
図８、図９において、挟持バネ１５の側面部３５には係合爪２０、２１に係合する係合孔４０、４１が設けられている。挟持バネ１５の背面側には固定ネジ１７が挿通される取付孔３９が設けられる。挟持バネ１５の上面側には固定ネジ１７を逃がす逃がし孔４８が設けられる。挟持バネ１５の光磁気ディスクＤの接線方向の一端には位置決めピン２７に嵌合する溝部２４が設けられる。
【００６０】
磁気ヘッドアングル１４の固定部３１には固定ネジ１７が挿通される長孔形状の取付孔３４が設けられる。固定部３１の開放端には位置決めピン２７（第１突起部）に嵌合する溝部２２（第１溝部）が設けられる。固定部３１の連結部２９近傍には磁気ヘッドアングル１４を位置調整するための調整ピン５０が挿入される調整用孔部３６が設けられる。
【００６１】
溝部２２と調整用孔部３６との間には切り起こしにより上方に突出する切起し部４９（第２突起部）が設けられる。切起し部４９は台座部４４の溝部２３（第２溝部）に嵌合して磁気ヘッドアングル１４の回動範囲を規制する。
【００６２】
次に、上記構成の光ピックアップ３を組み立てる製造工程について説明する。基台６０には固定ネジ１２によってクリップバネ１３が取り付けられる。また、台座部４４に挟持バネ１５が挿入される。図１１〜図１４はこの状態の台座部４４を示す斜視図、上面図、底面図、側面図である。
【００６３】
台座部４４に挿入される挟持バネ１５は係合爪２０、２１が係合孔４０、４１と係合して接線方向が概略位置決めされる。また、挟持バネ１５は位置決めピン２７が溝部２４と嵌合して挟持バネ１５が位置決めピン２７を中心にＧ−Ｈ方向に回動可能になっている。尚、挟持バネ１５は側面部３５によって台座部４４をＨ方向に押圧し、挟持バネ１５がＧ方向に付勢されている。
【００６４】
挟持バネ１５は板バネ部３８により台座部４４を下方に付勢し、係合爪２０、２１の下端が係合孔４０、４１に当接して係止される。これにより、図１４に示すように、開口部１５ａの下方には隙間ｄ１が形成されている。隙間ｄ１は磁気ヘッドアングル１４の固定部３１の厚みよりも狭くなっている。尚、図１２に示すように、係合爪２０、２１には挟持バネ１５を容易に挿入できるように傾斜面２０ａ、２１ａが形成されている。
【００６５】
クリップバネ１３及び挟持バネ１５を装着した基台６０は調整装置(不図示)上に固定され、対物レンズ５より発せられたレーザスポット位置（レーザ中心）をＣＣＤカメラで撮像して記憶する。次に、挟持バネ１５の開口部１５ａの隙間ｄ１に磁気ヘッドアングル１４の固定部３１が挿入される。固定部３１はガイド部４２の案内により容易に挿入できるようになっている。
【００６６】
図１５、図１６はこの状態の台座部４４部分を示す側面図及び挟持バネ１５を省略した底面図である。図１５に示すように、固定部３１の厚みが隙間ｄ１よりも大きいため、係合爪２０、２１の下端は係合孔４０、４１と離れて隙間ｄ２を形成する。これにより、挟持バネ１５の板バネ部３８の付勢力により台座部４４と固定部３１とが挟持される。
【００６７】
図１６に示すように、台座部４４の位置決めピン２７は固定部３１の溝部２２と嵌合し、固定部３１の切起し部４９が台座部４４の溝部２３と嵌合する。これにより、磁気ヘッドアングル１４は切起し部４９と溝部２３との隙間（図中、ｅ１＋ｅ２）分だけ位置決めピン２７を中心に回動する。
【００６８】
従って、切起し部４９と溝部２３によって磁気ヘッドアングル１４の回動範囲が規制されている。尚、位置決めピン２７と溝部２２との隙間は切起し部４９と溝部２３との隙間に比して充分小さく形成されている。位置決めピン２７と溝部２２との隙間を大きくしてこの隙間と、切起し部４９と溝部２３の隙間と、の両者により磁気ヘッドアングル１４を傾斜させるようにしてもよい。
【００６９】
また、切起し部４９と溝部２３が嵌合しており、かつ位置決めピン２７と溝部２２が嵌合している間だけ磁気ヘッドアングル１４は接線方向にスライド移動可能になっている。磁気ヘッドアングル１４が接線方向にスライド移動可能な長さは溝部２２、２３の接線方向の長さに応じて決められる。
【００７０】
挟持バネ１５により基台６０に装着された磁気ヘッドアングル１４には調整用孔部３６に調整ピン５０が挿入される。調整ピン５０は先端が円錐状のテーパ面５０ａになっている。調整用孔部３６の孔径は図１７に示すように、磁気ヘッドアングル１４がＧ−Ｈ方向に回動する範囲の両端３６ｇ、３６ｈに配された際に重なるように形成されている。
【００７１】
また、磁気ヘッドアングル１４がＣ−Ｄ方向にスライド移動する範囲の両端３６ｃ、３６ｄに配された際に重なるように形成されている。調整ピン５０はこれらの重なった斜線部Ｓに先端が侵入するように配置されている。従って、磁気ヘッドアングル１４の位置に拘わらず容易に調整ピン５０を調整用孔部３に挿入することができる。
【００７２】
マーカー５９（図４参照）をＣＣＤカメラで観察しながら調整ピン５０を移動すると、磁気ヘッドアングル１４がＧ−Ｈ方向に回動し、マーカー５９が略径方向（Ｅ−Ｆ方向）にスライド移動するとともに接線方向（Ｃ−Ｄ方向）にスライド移動する。そして、前述の記憶したレーザスポット位置（レーザ中心）にマーカー５９が一致した際に取付孔３９及び長孔３４に挿通された固定ネジ１７をネジ孔１６に締付ける。これにより、磁気ヘッドアングル１４を位置決めして挟持バネ１５とともに基台６０に固定する。挟持バネ１５を磁気ヘッドアングル１４と一体に基台６０に固定することにより、挟持バネ１５の脱落を防止することができる。
【００７３】
この時、固定ネジ１７は右ネジになっているため締付け方向は図１６において時計回りになる。挟持バネ１５は側面部３５によって図中、右方向に付勢されているため、位置決めピン２７から離れた側で固定ネジ１７の締付け方向と挟持バネ１５が付勢される方向とが一致する。
【００７４】
このため、固定ネジ１７の締付け時に挟持バネ１５の位置ずれが発生しない。従って、挟持バネ１５に挟持された磁気ヘッドアングル１４の位置ずれを防止することができ、磁気ヘッドアングル１４の再調整を低減して製造工数を削減することができる。尚、位置決めピン２７に近い側では位置決めピン２７と溝部２２との嵌合隙間が小さいため磁気ヘッドアングル１４の位置ずれは殆ど発生しない。
【００７５】
また、調整ピン５０の移動に対する磁気ヘッド３２の追随性をよくするため、調整用孔部３６と調整ピン５０は隙間なく形成されている方がより望ましい。
【００７６】
本実施形態によると、基台６０と磁気ヘッドアングル１４を弾性挟持する挟持バネ１５を設けたので、磁気ヘッドアングル１４を挟持バネ１５により仮固定して位置調整した後、固定ネジ１７で固定することができる。従って、磁気ヘッドアングル１４の位置調整が容易になるとともに従来のようなロック剤の硬化を待機する必要がなく光ピックアップ３及び光磁気記録装置１の製造工数を削減することができる。また、磁気ヘッドアングル１４の取付け後に衝撃が加わっても磁気ヘッドアングル１４が容易に位置ずれしないため、光ピックアップ３及び光磁気記録装置１の故障を防止することができる。
【００７７】
尚、挟持バネ１５を断面コ字型に形成してもよいが、側面部３５による径方向の付勢を容易にできる断面Ｃ字型がより望ましい。また、挟持バネ１５の溝部２４を省いてもよいが、溝部２４を設けると挟持バネ１５が位置決めピン２７を中心にＧ方向（図１３参照）に付勢される。これにより、固定ネジ１７の締付け時の位置決めピン２７に近い側の位置ずれを低減することができるためより望ましい。
【００７８】
また、位置決めピン２７（第１突起部）を基台６０に設け、溝部２２（第１溝部）を磁気ヘッドアングル１４に設けているが、第１突起部を磁気ヘッドアングル１４に設け、第１溝部を基台６０に設けてもよい。同様に、切起し部４９（第２突起部）を磁気ヘッドアングル１４に設け、溝部２３（第２溝部）を基台６０に設けているが、第２突起部を基台６０に設け、第２溝部を磁気ヘッドアングル１４に設けてもよい。また、溝部２２、２３に替えて長孔を設けてもよい。
【００７９】
次に、図１８は第２実施形態の光ピックアップを示す分解斜視図である。説明の便宜上、前述の図１〜図１７に示す第１実施形態と同一の部分は同一の符号を付している。本実施形態は挟持バネ１５（図８参照）を省き、固定部３１を切り起こした切起し部４９をＬ字型に折曲して挟持部５２を設けている。その他の部分は第１実施形態と同一である。
【００８０】
挟持部５２（弾性挟持部材）は弾性変形可能に形成され、台座部４４を弾性挟持する。これにより、磁気ヘッドアングル１４を挟持部５２により基台６０に仮固定して位置調整した後、固定ネジ１７で固定することができる。従って、第１実施形態と同様に、磁気ヘッドアングル１４の位置調整が容易になるとともに従来のようなロック剤の硬化を待機する必要がなく光ピックアップ３及び光磁気記録装置１の製造工数を削減することができる。また、衝撃が加わっても磁気ヘッドアングル１４が容易に位置ずれしないため、光ピックアップ３及び光磁気記録装置１の故障を防止することができる。
【産業上の利用可能性】
【００８１】
本発明は、ＭＤやＭＯ等の光磁気ディスクに情報を記録する光磁気記録装置及びそれに用いられる光ピックアップに利用することができる。
【図面の簡単な説明】
【００８２】
【図１】本発明の第１実施形態の光磁気記録装置の駆動部を示す斜視図
【図２】本発明の第１実施形態の光磁気記録装置の駆動部を示す背面斜視図
【図３】本発明の第１実施形態の光磁気記録装置の光ピックアップを示す側面図
【図４】本発明の第１実施形態の光磁気記録装置の光ピックアップの磁気ヘッド部分を示す上面図
【図５】本発明の第１実施形態の光磁気記録装置の光ピックアップの磁気ヘッド部分を示す側面図
【図６】本発明の第１実施形態の光磁気記録装置の光ピックアップの磁気ヘッドの製造工程を示す斜視図
【図７】本発明の第１実施形態の光磁気記録装置の光ピックアップの磁気ヘッドの製造工程を示す斜視図
【図８】本発明の第１実施形態の光磁気記録装置の光ピックアップを上方から見た分解斜視図
【図９】本発明の第１実施形態の光磁気記録装置の光ピックアップを下方から見た分解斜視図
【図１０】本発明の第１実施形態の光磁気記録装置の光ピックアップの挟持バネを示す正面図
【図１１】本発明の第１実施形態の光磁気記録装置の光ピックアップの基台に挟持バネを取り付けた状態を示す斜視図
【図１２】本発明の第１実施形態の光磁気記録装置の光ピックアップの基台に挟持バネを取り付けた状態を示す上面図
【図１３】本発明の第１実施形態の光磁気記録装置の光ピックアップの基台に挟持バネを取り付けた状態を示す底面図
【図１４】本発明の第１実施形態の光磁気記録装置の光ピックアップの基台に挟持バネを取り付けた状態を示す側面図
【図１５】本発明の第１実施形態の光磁気記録装置の光ピックアップの基台に磁気ヘッドアングルを取り付けた状態を示す側面図
【図１６】本発明の第１実施形態の光磁気記録装置の光ピックアップの基台に磁気ヘッドアングルを取り付けた状態を示す底面図
【図１７】本発明の第１実施形態の光磁気記録装置の光ピックアップの調整用孔の移動範囲を説明する図
【図１８】本発明の第２実施形態の光磁気記録装置の光ピックアップを上方から見た分解斜視図
【符号の説明】
【００８３】
１    光磁気記録装置
２    スピンドルモータ
３    光ピックアップ
５    対物レンズ
８    駆動ネジ
１２、１７  固定ネジ
１３    クリップバネ
１４    磁気ヘッドアングル
１５    挟持バネ（弾性挟持部材）
２０、２１  係合爪
２２    溝部（第１溝部）
２３    溝部（第２溝部）
２７    位置決めピン（第１突起部）
２９    連結部
３１    固定部
３２    磁気ヘッド
３３    対向部
３６    調整用孔部
４０、４１  係合孔
４９    切起し部（第２突起部）
５０    調整ピン
５２    挟持部（弾性挟持部材）
５９    マーカー
６０    基台
【図１】
2006059436.tif 000003
【図２】
2006059436.tif 000004
【図３】
2006059436.tif 000005
【図４】
2006059436.tif 000006
【図５】
2006059436.tif 000007
【図６】
2006059436.tif 000008
【図７】
2006059436.tif 000009
【図８】
2006059436.tif 000010
【図９】
2006059436.tif 000011
【図１０】
2006059436.tif 000012
【図１１】
2006059436.tif 000013
【図１２】
2006059436.tif 000014
【図１３】
2006059436.tif 000015
【図１４】
2006059436.tif 000016
【図１５】
2006059436.tif 000017
【図１６】
2006059436.tif 000018
【図１７】
2006059436.tif 000019
【図１８】
2006059436.tif 000020